(57)【要約】      （修正有）【課題】着用したままお風呂に入った場合でもレンズが曇ることなく良好な視界で読書等を行うことができ、しかも、湯垢や雑菌がヒンジ部に付着し難い衛生的な入浴用防曇メガネを提供する。【解決手段】防曇レンズ１と、この防曇レンズ１が左右リム２１・２１に装着されたフロント枠２と、このフロント枠２の両側にヒンジ連結された所定厚みの板状を成す一対のテンプル３・３とを含み、更に前記フロント枠２とテンプル３・３を、ヒンジ連結部も含めて全てプラスチック材料から構成する一方、テンプル３の前端側には、窓部及びこの窓部中央を縦方向に走るヒンジ軸を設けると共に、フロント枠２の両側には、後側にヒンジ軸を挿入するためのスリット状の開口部を備えた筒型の軸受け部を設けて、当該軸受け部に、ヒンジ軸を軸受け部の一部が窓部に入り込むように装着した。【選択図】図１
0003187617.tif 000002
【実用新案登録請求の範囲】
【請求項１】
レンズ本体の表面に撥水コーティング、或いは親水コーティングが施された防曇レンズ(１)と；この防曇レンズ(１)が左右リム(21)(21)に装着されたフロント枠(２)と；このフロント枠(２)の両側にヒンジ連結された所定厚みの板状を成す一対のテンプル(３)(３)とを含んで成り、
更に前記フロント枠(２)とテンプル(３)(３)については、ヒンジ連結部も含めて全てプラスチック材料から構成される一方、
前記テンプル(３)の前端側には、窓部(31)及びこの窓部(31)中央を縦方向に走るヒンジ軸(32)が設けられると共に、前記フロント枠(２)の両側には、後側にヒンジ軸(32)を挿入するためのスリット状の開口部(22a)を備えた筒型の軸受け部(22)(22)が設けられて、当該軸受け部(22)に前記ヒンジ軸(32)が、軸受け部(22)の一部が窓部(31)内に入り込むように装着されることによって、テンプル(３)を開いた際、前記軸受け部(22)の開口部(22a)が窓部(31)の内壁によって隠蔽されること特徴とする入浴用防曇メガネ。
【請求項２】
フロント枠(２)及びテンプル(３)(３)がポリアミド系樹脂から作製されていることを特徴とする請求項１記載の入浴用防曇メガネ。
【請求項３】
フロント枠(２)及びテンプル(３)(３)のプラスチック材料に着色剤が練り込まれていることを特徴とする請求項１または２に記載の入浴用防曇メガネ。
【請求項４】
テンプル(３)の前端部の内側に、窓部(31)(31)の上下から真横に突き出した突起部(33)(33)が形成され、当該突起部(33)(33)の内側にヒンジ軸(32)が配設されることによって、ヒンジ軸(32)をフロント枠(２)の軸受け部(22)に装着したとき、前記突起部(33)(33)によって、ヒンジ軸(32)と軸受け部(22)間の隙間が遮蔽されることを特徴とする請求項１〜３の何れか一つに記載の入浴用防曇メガネ。
【請求項５】
テンプル(３)の前端部の内側に、テンプル(３)を開いたときにフロント枠(２)の軸受け部(22)の持出部(22b)が嵌装される溝部(34)が形成されていることを特徴とする請求項１〜４の何れか一つに記載の入浴用防曇メガネ。
【請求項６】
レンズ本体の表面に撥水コーティング、或いは親水コーティングが施された防曇レンズ(１)と；この防曇レンズ(１)が左右リム(21)(21)に装着されたフロント枠(２)と；このフロント枠(２)の両側にヒンジ連結された所定厚みの板状を成す一対のテンプル(３)(３)とを含んで成り、
更に前記フロント枠(２)とテンプル(３)(３)については、ヒンジ連結部も含めて全てプラスチック材料から構成される一方、
前記テンプル(３)の前端側には、窓部(31)及びこの窓部(31)の上下から突き出した突起状のヒンジ軸(32)(32)が設けられると共に、前記フロント枠(２)の両側には、上下面の一部にヒンジ軸(32)(32)を挿入するためのテーパ面(22c)(22c)が形成された筒型の軸受け部(22)(22)が設けられて、当該軸受け部(22)に前記ヒンジ軸(32)が、軸受け部(22)の一部が窓部(31)内に入り込むように装着されること特徴とする入浴用防曇メガネ。
【考案の詳細な説明】
【技術分野】
【０００１】
本考案は、入浴用防曇メガネの改良、詳しくは、着用したままお風呂に入ってもレンズが曇ることなく良好な視界で読書等を行うことができ、またフレームがお湯に濡れても錆等の問題が発生することもなく、しかも、湯垢や雑菌がヒンジ部に付着し難い衛生的な入浴用防曇メガネに関するものである。
【背景技術】
【０００２】
周知のとおり、一般的な視力矯正用の度付きレンズは防曇処理が施されていないため、メガネを掛けたままお風呂に入ると浴室中の湯気で瞬時にレンズが曇ってしまう。そのため、お風呂に浸かりながら読書や映画鑑賞等を行いたい場合でも、本の文字や防水テレビの映像をはっきりと視認できるだけの視界を確保することが難しい。
【０００３】
また、従来においては、防曇処理が施されたメガネ用のレンズも既に公知となっているが(例えば、特許文献１参照)、一般的にメタル枠は水に濡れると錆び易いため、水場での使用には向かない。また、プラスチック枠も、ヒンジ軸等に金属部品が使用されているものが多いため、ヒンジ部に錆が発生する欠点がある。
【０００４】
一方、従来においては、ヒンジ部に金属部品を使用せずに構成したプラスチック枠も既に公知となっており(例えば、特許文献２参照)、この文献２に係るプラスチック枠においては、一体成形によってテンプルと一体に設けたヒンジ軸を、フロント枠側に設けた軸受け部に開口部から押し込んで装着する構造となっている。
【０００５】
しかしながら、上記従来のプラスチック枠は、テンプルを開いた状態で軸受け部の開口部が外側に露出した状態となっていたため、このメガネを入浴時に使用すると軸受け部の開口部からお湯が侵入してヒンジ軸と軸受け部の隙間に湯垢や雑菌が溜まり易かった。そのため、繰り返しの使用によって不衛生になる問題があった。
【先行技術文献】
【特許文献】
【０００６】
【特許文献１】特開２００５−１６５０１４号公報
【特許文献２】特開平８−６２５４６号公報
【考案の開示】
【考案が解決しようとする課題】
【０００７】
本考案は、上記の如き問題に鑑みて為されたものであり、その目的とするところは、着用したままお風呂に入った場合でもレンズが曇ることなく良好な視界で読書等を行うことができ、またフレームがお湯に濡れても錆等の問題が発生することもなく、しかも、湯垢や雑菌がヒンジ部に付着し難い衛生的な入浴用防曇メガネを提供することにある。
【課題を解決するための手段】
【０００８】
本考案者が上記課題を解決するために採用した手段を添付図面を参照して説明すれば次のとおりである。
【０００９】
即ち、本考案は、レンズ本体の表面に撥水コーティング、或いは親水コーティングが施された防曇レンズ１と；この防曇レンズ１が左右リム21・21に装着されたフロント枠２と；このフロント枠２の両側にヒンジ連結された所定厚みの板状を成す一対のテンプル３・３とを含んで入浴用防曇メガネを構成し、
更に前記フロント枠２とテンプル３・３を、ヒンジ連結部も含めて全てプラスチック材料から構成する一方、
前記テンプル３の前端側には、窓部31及びこの窓部31中央を縦方向に走るヒンジ軸32を設けると共に、前記フロント枠２の両側には、後側にヒンジ軸32を挿入するためのスリット状の開口部22aを備えた筒型の軸受け部22・22を設けて、当該軸受け部22に、前記ヒンジ軸32を軸受け部22の一部が窓部31に入り込むように装着することによって、テンプル３を開いた際に、前記軸受け部22の開口部22aを窓部31の内壁によって隠蔽可能とした点に特徴がある。
【００１０】
また、上記フロント枠２及びテンプル３・３を、耐久性、弾力性、耐熱性、耐薬品性、及び耐衝撃性に優れたポリアミド系樹脂から作製することによって、装着感が良好で長期間使用することができ、しかも、サウナ内でも問題なく使用できる機能性に優れた入浴用メガネとすることができる。
【００１１】
また更に、上記のように、フロント枠２にポリカーボネート樹脂等の欠け易い樹脂でなく欠け難いポリアミド系樹脂を使用することによって、リムの内側に凹溝(ヤゲン溝)を形成することも可能となるため、レンズ外周に形成した突起部(ヤゲン)を嵌め込むだけで簡単にレンズの装着を行うことができる。またヤゲン溝の形成によって、レンズの取り外し及びレンズの交換も容易化できる。
【００１２】
そしてまた、上記のように、フロント枠に弾力性に優れたポリアミド系樹脂を使用することによって、フロント枠の両側の智部分にテンプルを過拡開したときの負荷を吸収するための弾性部品を取り付ける必要もないため、フロント枠を頑丈で簡素な構造とすることができる。
【００１３】
また、上記フロント枠２及びテンプル３・３においては、トップコート層を形成して着色する方法でなく、プラスチック材料に着色剤を練り込んで着色を行う方法を採用するのが好ましく、これによって温度や湿気塔の条件が過酷な環境で使用した場合でも、トップコート層の剥がれによる色剥げの問題が生じる心配はない。
【００１４】
一方、上記フロント枠２とテンプル３・３のヒンジ連結構造に関しては、テンプル３の前端部の内側に、窓部31・31の上下から真横に突き出した突起部33・33を形成すると共に、当該突起部33・33の内側にヒンジ軸32を配設することによって、ヒンジ軸32をフロント枠２の軸受け部22に装着したとき、前記突起部33・33によって、ヒンジ軸32と軸受け部22間の隙間を遮蔽することも可能となる。
【００１５】
そしてまた、上記テンプル３の前端部の内側に、テンプル３を開いたときにフロント枠２の軸受け部22の持出部22bが嵌装される溝部34を形成すれば、軸受け部22の持出部22bとテンプル３の間の隙間にお湯が浸入して、これらの対向面に湯垢や雑菌が付着する問題も解消できる。
【００１６】
他方、上記構成を採用する代わりに、テンプル３の前端側に、窓部31及びこの窓部31の上下から突き出した突起状のヒンジ軸32・32を設けると共に、フロント枠２の両側に、上下面の一部にヒンジ軸32・32を挿入するためのテーパ面22c・22cが形成された筒型の軸受け部22・22を設けて、当該軸受け部22に前記ヒンジ軸32を、軸受け部22の一部が窓部31内に入り込むように装着する構成を採用することもでき、この構造を採用した場合には、軸受け部22にスリット状の大きな開口部を設ける必要がなくなるため、使用時にヒンジ部にお湯が入り難くなる。
【考案の効果】
【００１７】
本考案では、プラスチックレンズに撥水性または親水性コーティングが施された防曇レンズを使用して入浴用のメガネを構成したことにより、着用したままお風呂に入っても湯気でレンズが曇る心配がないため、お風呂に浸かったまま良好な視界で読書や映画鑑賞等を行うことができ、これによって入浴時間をより有意義に楽しむことが可能となる。
【００１８】
しかも、本考案では、上記入浴用メガネのフレームを、ヒンジ部も含めて全てプラスチック材料から作製しているため、フレームがお湯で濡れた場合でもフレームに錆等が生じる心配もない。また、金属材料よりも伝熱性の低いプラスチック材料を使用したことによって、着用したままサウナ等に入った場合でも火傷する心配がない。
【００１９】
また更に、本考案では、上記メガネフレームのヒンジ部を、メガネを着用した状態(テンプルを開いた状態)で軸受け部の開口部が外部に露出しないように構成しているため、入浴時に軸受け部の開口部からお湯が入って軸受け部とヒンジ軸間の隙間に湯垢や雑菌が溜まる問題も抑制することができる。
【００２０】
したがって、本考案により、入浴時に読書等を行うユーザが快適に使用できるだけでなく、繰り返し長期間使用した場合でも衛生面の問題が生じ難い入浴用防曇メガネを提供できることから、本考案の実用的利用価値は頗る高い。
【図面の簡単な説明】
【００２１】
【図１】本考案の実施例１における入浴用防曇メガネを表わす全体上面図及び全体正面図である。
【図２】本考案の実施例１における入浴用防曇メガネを表わす全体側面図である。
【図３】本考案の実施例１における入浴用防曇メガネのヒンジ部の構造を表わす分解したフロント枠及びテンプルの拡大斜視図である。
【図４】本考案の実施例１における入浴用防曇メガネのテンプル取り付け時の状態を表わす拡大上面図及び拡大側面図である。
【図５】本考案の実施例１における入浴用防曇メガネの使用時の状態を表わす拡大上面図である。
【図６】本考案の実施例２における入浴用防曇メガネのヒンジ部の構造を表わす分解したフロント枠及びテンプルの拡大斜視図である。
【図７】本考案の実施例２における入浴用防曇メガネの使用時の状態を表わす拡大上面図、テンプル外側から見た拡大側面図、及びテンプル内側から見た拡大側面図である。
【考案を実施するための形態】
【００２２】
『実施例１』
本考案の実施例１について、図１〜図５に基いて説明する。同図において、符号１で指示するものは、防曇レンズであり、符号２で指示するものは、フロント枠である。また符号３で指示するものは、テンプルである。
【００２３】
まず実施例１では、表面に防曇処理が施された防曇レンズ１・１を、プラスチック製のフロント枠２の左右リム21・21に装着すると共に、このフロント枠２の両側に、プラスチック製で、かつ、所定厚みの板状を成す一対のテンプル３・３をヒンジ連結することによって入浴用防曇メガネＧを構成している(図１、図２参照)。
【００２４】
なお本実施例では、上記防曇レンズ１に、ＣＲ-３９(体系名：エチレングリコールビス(3-ブテノアート))から成るレンズ本体の表面に親水コーティングを行ったものを使用しているが、親水コーティングを行うレンズ本体の材料については、ＣＲ-３９以外の光学樹脂素材(例えば、ポリカーボネート樹脂やアクリル樹脂等)も選択できる。また、親水コーティング剤についても、公知の材料から自由に選択できる。
【００２５】
また、上記防曇レンズ１に関しては、安全性の観点からガラスレンズよりもプラスチックレンズが好ましく、理想的には、豊富な度数バリエーションによって幅広いユーザに対応できる材質歪みの小さいプラスチックレンズが好ましい(本実施例では、近視矯正用0.00〜8.00・遠視矯正用0.25〜6.00・乱視矯正0.25〜2.00までの449〜513種類の度数に対応できる)。
【００２６】
また更に、上記フロント枠２及びテンプル３・３に関しては、ヒンジ連結部も含めて全てプラスチック材料から作製しているが、本実施例では、フロント枠２及びテンプル３・３の材料に、装着時のフィット感やサウナ内での使用、長期耐用性を考慮して耐久性、弾力性、耐熱性、耐薬品性及び耐衝撃性に優れたポリアミド系樹脂を採用している。
【００２７】
また本実施例では、上記フロント枠２のリム21・21内側に凹溝を形成しているため、外周に突起部が形成された防曇レンズ１・１の脱着を簡単に行うことができる。ちなみに、欠けが生じ易いポリカーボネート樹脂をフロント枠１に使用する場合には、リム内側に凹溝を切ることができないため、レンズの脱着作業が困難になる。
【００２８】
一方、上記フロント枠２の両側には、図３(a)に示すように筒型の軸受け部22を後側に持ち出して設けており、この軸受け部22には、後側にスリット状の開口部22aを形成している。また、テンプル３の前端側には、図３(b)に示すように窓部31を設けると共に、この窓部31中央を縦方向に走るようにヒンジ軸32を設けている。
【００２９】
そして、上記フロント枠２の両側に設けた軸受け部22の開口部22aに、テンプル３の前端部に設けたヒンジ軸32を押し込んで挿入することによって、図４(a)及び(b)に示すように、軸受け部22の一部が窓部31に入り込んだ状態で、ヒンジ軸32を軸受け部22に装着してテンプル３をフロント枠２に回動自在に取り付けることができる。
【００３０】
そしてまた、上記テンプル３を拡開して使用する際には、図５に示すように、軸受け部22の開口部22aを窓部31の内壁によって隠蔽することが可能となるため、入浴中にお湯が開口部22aからヒンジ軸32と軸受け部22の隙間に入り難くなる。したがって、湯垢や雑菌がヒンジ部に付着して不衛生になる問題を防止できる。
【００３１】
また更に、本実施例においては、上記テンプル３の前端部の内側に、窓部31・31の上下から真横に突き出した突起部33・33を形成すると共に、この突起部33・33の内側にヒンジ軸32を配設することにより、ヒンジ軸32をフロント枠２の軸受け部22に装着したとき、ヒンジ軸32と軸受け部22間の隙間を突起部33・33によって遮蔽することも可能となる。
【００３２】
そして更に、本実施例では、上記テンプル３の前端部の内側に、テンプル３を開いたときにフロント枠２の軸受け部22の持出部22bが嵌装される溝部34を形成しているため(図３参照)、軸受け部22の持出部22bとテンプル３の間の隙間にお湯が浸入して、持出部22bとテンプル３の対向面に湯垢や雑菌が付着する心配もない。
【００３３】
また更に、本実施例では、上記フロント枠２及びテンプル３・３の着色を、プラスチック材料に着色剤を練り込んで行っているため、温度や湿気等の条件が過酷な環境(特にサウナ等)で繰り返し使用した場合でも、トップコート層の剥がれによる色剥げが起きることはなく、良好な外観を維持できる。
【００３４】
他方また、本実施例では、上記テンプル３の前端にストッパーとなる衝止面35を形成して、テンプル３・３開いたときにこの衝止面35・35がフロント枠２の両端部に衝合してテンプル３の回動が制止されるようにしているため、テンプル３・３を過拡開した際にヒンジ部に過大な負荷が掛かって変形等を起こす心配もない。
【００３５】
『実施例２』
本考案の実施例２について、図６及び図７に基いて以下に説明する。この実施例２では、フロント枠２をポリカーボネート樹脂から作製すると共に、フロント枠２の両側に、上下面の後側にテーパ面22c・22cが形成された筒型の軸受け部22・22を設けて構成している(図６(a)参照)。また、テンプル３の前端側には、図６(ｂ)で示すように、窓部31とこの窓部31の上下から内側に突き出した突起状のヒンジ軸32・32とを設けている。
【００３６】
そして、上記フロント枠２の軸受け部22に対して、突起状のヒンジ軸32・32をテーパ面22c・22c側から押し込んで挿入することによって、軸受け部22の一部が窓部31内に入り込んだ状態で両者を装着することができる(図７参照)。これにより、スリット状の開口部が軸受け部22に不要となるため、ヒンジ部へのお湯の侵入を抑制できる。
【００３７】
なお、本実施例のように、軸受け部22にテーパ面22c・22cを形成する場合においても、軸受け部22とヒンジ軸32の隙間にお湯が侵入し難くなるように、テンプル３・３の内側に、窓部31の上下から突き出した突起部33・33を形成しておくのが好ましい。また、テーパ面22cの形成位置については、軸受け部22の横側でもよく任意に選択できる。
【００３８】
本考案は、概ね上記のように構成されるが、本考案は図示の実施形態に限定されるものでは決してなく、「実用新案登録請求の範囲」の記載内において種々の変更が可能であって、例えば、上記防曇レンズ１に関しては、レンズ本体の表面に撥水コーティングを行ったものを使用することもでき、その場合には、レンズ本体の材料にポリカーボネート樹脂等を使用することができる。
【００３９】
また更に、フロント枠１やテンプル３の材料には、耐熱性及び耐水性に優れた樹脂であればポリアミド系樹脂やポリカーボネート樹脂以外の樹脂を採用することもでき、具体的には、耐熱性を向上したセルロース・アセテート樹脂やスーパーエンジニアリングプラスチックであるポリイミド系樹脂などを採用でき、上記何れのものも本考案の技術的範囲に属する。
【産業上の利用可能性】
【００４０】
近年、入浴時間を効率的に利用してお風呂をより楽しむために、入浴時に読書をしたりテレビを見たりする人が増えている。そのような中で、本考案の入浴用防曇メガネは、レンズの曇りを抑えて良好な視界を確保できるだけでなく、衛生面を改善して安心して使用できる有用な技術であることから、その産業上の利用価値は非常に高い。
【符号の説明】
【００４１】
１  防曇レンズ
２  フロント枠
21  リム
22  軸受け部
22a  開口部
22b  持出部
22c  テーパ面
３  テンプル
31  窓部
32  ヒンジ軸
33  突起部
34  溝部
35  衝止面
Ｇ  入浴用防曇メガネ
【図１】
0003187617.tif 000003
【図２】
0003187617.tif 000004
【図３】
0003187617.tif 000005
【図４】
0003187617.tif 000006
【図５】
0003187617.tif 000007
【図６】
0003187617.tif 000008
【図７】
0003187617.tif 000009